【事件の表示】
　特許第３３２６２７０号「孔版印刷装置」の請求項１ないし４に係る特許に対する特許異議の申立てについて、次のとおり決定する。
【結　論】
　特許第３３２６２７０号の請求項１ないし４に係る特許を維持する。
【理　由】
［１］手続の経緯
　本件特許第３３２６２７０号の特許請求の範囲の請求項１乃至請求項４に係る発明についての出願は、平成６年３月２２日に特許出願され、平成１４年７月５日にその発明について特許権の設定登録がなされ、その後、特許請求の範囲の請求項１乃至請求項４に係る発明の特許について、山口十四治より特許異議の申立てがなされ、取消理由通知がなされ、その指定期間内である平成１６年２月１３日に特許異議意見書の提出がなされたものである。
　
［２］特許異議の申立てについての判断
　１．本件発明
　「【請求項１】版胴が所定の回転位置に位置することにより版胴に孔版原紙が装着されているか否かを検出する原紙有無検出手段と、前記原紙有無検出手段により検出された原紙有無に関する検出結果の最新情報を記憶する記憶手段と、印刷処理または製版処理に際する原紙有無確認時に前記記憶手段に記憶された原紙有無に関する検出結果の最新情報を読み取り、この読み取り情報に基づいて所要の印刷処理または製版処理を行う制御手段と、を有することを特徴とする孔版印刷装置。
　【請求項２】版胴が所定の回転位置に位置することにより版胴に孔版原紙が装着されているか否かを検出する原紙有無検出手段と、前記原紙有無検出手段により検出された原紙有無に関する検出結果の最新情報を記憶する原紙有無情報記憶手段と、印刷処理または製版処理に際する原紙有無確認時に、電源オン直後を除き前記原紙有無情報記憶手段に記憶された原紙有無情報を読み込み、この原紙有無情報に基づいて所要の処理を行い、電源オン直後である場合には版胴を回転させて前記原紙有無検出手段により版胴に孔版原紙が装着されているか否かを検出し、この検出結果に基づいて所要の印刷処理または製版処理を行う制御手段と、を有することを特徴とする孔版印刷装置。
　【請求項３】版胴が機外に取出し可能な構造の孔版印刷装置において、版胴が所定の回転位置に位置することにより版胴に孔版原紙が装着されているか否かを検出する原紙有無検出手段と、前記原紙有無検出手段により検出された原紙有無に関する検出結果の最新情報を記憶する原紙有無情報記憶手段と、版胴が機外に取り出されたことを検出する版胴取出し検出手段と、前記版胴取出し検出手段により検出された版胴取出しに関する検出結果の最新情報を記憶する版胴取出し情報記憶手段と、印刷処理または製版処理に際する原紙有無確認時に、前記版胴取出し情報記憶手段に記憶された版胴取出し情報を読み取り、この版胴取出し情報が版胴取出しが行われていないことを示すものである場合には前記原紙有無情報記憶手段に記憶された原紙有無情報を読み込み、この原紙有無情報に基づいて所要の処理を行い、版胴取出し情報が版胴取出しが行われたことを示すものである場合には版胴を回転させて前記原紙有無検出手段により版胴に孔版原紙が装着されているか否かを検出し、この検出結果に基づいて所要の印刷処理または製版処理を行う制御手段と、を有することを特徴とする孔版印刷装置。
　【請求項４】上記制御手段に製版処理を開始させる製版スタートキーと、印刷処理を開始させる印刷スタートキーとを更に有し、上記制御手段には、孔版原紙が装着されていて上記製版スタートキーがオンされたとき、製版処理開始前に排版処理を開始させる手段と、孔版原紙が装着されていないで上記製版スタートキーがオンされたとき、製版処理を開始させる手段と、孔版原紙が装着されていて上記印刷スタートキーがオンされたとき、印刷処理を開始させる手段と、孔版原紙が装着されていないで上記印刷スタートキーがオンされたとき、印刷処理をさせない手段とを有する、請求項１、２または３記載の孔版印刷装置。」（以下、それぞれ「本件発明１」乃至「本件発明４」という。）
　
　２．刊行物等
　当審が平成１５年１２月１７日付けで通知した取消理由に引用した刊行物である、刊行物１：特開平３−１９３３５１号公報、刊行物２：特開昭６１−２５８４０号公報、刊行物３：特開昭６０−１９６７８１号公報、刊行物４：実願昭６０−１６８４７１号（実開昭６２−７６３４８号）のマイクロフィルム、刊行物５：特開昭６１−４０１７９号公報、刊行物６：特公昭６２−３０１１７号公報には、それぞれ下記の事項が記載されている。
　
　［刊行物１］
　ア）「ドラム部上の使用済みのマスターを排版し、新規マスターをドラム部に巻き付ける製版プロセスと、給紙部からの用紙にマスター上に形成された画像を印刷する印刷プロセスとを操作部により選択実行する印刷機において、ドラム部外方に、ドラム部に巻回されたマスターを検知する検知手段を設けると共に、操作部からの各プロセス信号と検知手段からの信号を基に、新規マスターの巻回を検知した場合各プロセスを実行し、そうでない場合プロセス動作を停止し、警告表示を行う制御手段を備えたことを特徴とする印刷機。」（特許請求の範囲）。
　イ）「第１図は本発明による印刷機の一実施例の概略図であって、１は機械本体、２は制御部（制御手段）、３は原稿読み取り部、４は表示部、５は操作部、６は用紙、７はマスター、８はサーマルヘッド、９はドラム、１０はセンサ部（検知手段）、１１は給紙部、１２は排紙部、１３は排版部、１４は製版部である。・・・第３図はドラム部９の斜視図、第４図は操作・表示パネルの平面図であって、・・・第３図において、２２は光吸収部である。さらに第４図において、２３は印刷スタートキー、２４は製版スタートキー、２５はＬＥＤである。」（第２頁左下欄７〜２０行）。
　ウ）「ドラム部９の外周部にはマスター７の巻き付け検知を行う反射型のフォトセンサからなるセンサ部１０が設けられている。」（第２頁右下欄１６〜１８行）。
　エ）「まず第７図に基づき、製版プロセスを説明する。操作部５の製版スタートキー２４（第４図）を押下して製版プロセスを選択すると、この選択信号は制御部２に取り込まれる。そして原稿が原稿読み取り部３にセットされていれば（７−１でＹＥＳ）、ドラム部９にマスター７が巻き付けられているか否か検知する（７−２）。なお、マスター７が巻き付けられていない場合は、光吸収部２２（第３図）に対向したセンサ部１０の発光側からの光は光吸収部２２に吸収され、受光側に反射光が達せず、またマスター７がドラム部９に巻き付けられている場合は、マスター７の反射率が高いため、反射光が受光側に届く。このことによりマスター７の有無をセンサ部１０および制御部２で検知・判断することができる。」（第３頁右上欄１〜１５行）。
　オ）「制御部２では製版スタートキー２４からの選択信号とセンサ部１０からのマスター有り信号とを取り込み、所定のプログラムに従って演算した後、前述した排版動作指令を行う（７−３）。排版部１３ではドラム部９に巻かれていた使用済みのマスター７を剥がして収納する。そして、ドラム部９にマスター７が巻き付いていないことを確認した後（７−４でＮＯ）、制御部２より原稿読み取りおよび製版動作指令が出て原稿に対応するマスター７の位置に穴をあけて製版し（７−５）、ドラム部９に巻き付ける（７−６）。」（第３頁右上欄１６行〜左下欄６行）。
　カ）「原稿セット後ドラム部９に既に使用済みのマスター７が巻き付いていない場合には（７−２でＮＯ）、排版の必要がないことから、ステップ７−５にジャンプし、直ちに製版動作に入る。」（第３頁左下欄１８行〜右下欄１行）。
　キ）「第８図に基づき印刷プロセスを説明すると、印刷スタートキー２３（第４図）を押下して、印刷プロセスが選択されると、この選択信号は制御部２に取り込まれる。そして新規のマスター７がドラム部９に巻き付けられているかどうかを前述と同様にして判断する。ここでマスター７がドラム部９に巻き付けられていれば、（８−１でＹＥＳ）、制御部２から印刷実行手段１９に指令が出され、印刷動作が実行される（８−２）。また、マスター７がドラム部９に巻き付けられていない場合（８−１でＮＯ）、表示部４のＬＥＤ２５を点滅し警告を出す（８−３）と共に印刷プロセスを停止する（８−４）。なお、ここで製版スタートキー２４を押下すれば、ＬＥＤは消え、前述の排版動作を飛ばし、直ちに製版動作に入る。」（第３頁右下欄２〜１７行）。
　
　［刊行物２］
　ア）「本発明は、印刷機の自動給排版装置、さらに詳しく言えば、自動給排版が行われたことを記憶しその記憶を自動給排版動作の条件に用いて自動給排版の制御をする印刷機の自動給排版装置に関する。」（第１頁右下欄４〜８行）。
　イ）「給版スイッチからの給版指令信号により動作する給版機構で版胴に版を給版し、排版スイッチからの排版指令信号により動作する排版機構でその版を排版する印刷機の自動給排版装置において、前記給版機構により前記版が前記版胴に給版されたことを検出して給版検出信号を出力する給版検出部と、前記排版機構により前記版胴から前記版が排版されたことを検出して排版検出信号を出力する排版検出部と、前記給版検出部からの給版検出信号により前記版の給版状態を記憶し、前記排版検出部からの排版検出信号によりその記憶を消す給版記憶部と、前記給版記憶部に給版記憶があるときには前記給版スイッチからの給版指令信号を前記給版機構に接続せず、前記給版記憶部に給版記憶がないときには前記排版スイッチからの排版指令信号を前記排版機構に接続しないように制御する給排制御部とから構成したことを特徴とする印刷機の自動給排版装置。」（特許請求の範囲）。
　ウ）「（発明が解決しようとしている問題点）このような自動給排版装置では、一般にはアルミニュウム版は自動給版できないので、手で版胴を取り付けているのが現状である。この場合、印刷終了後に誤って、排版スイッチを押していまい自動排版させたときにはアルミニュウム版を無理に排版していまい、排版機構を損傷させるという問題点があった。また、すでに版胴が版に巻かれているのに、誤って給版スイッチを押してしまい、自動給版した場合には給版ジャム等を起こすという問題点があった。」（第２頁左上欄１８行〜右上欄９行）。
　
　［刊行物３］
　ア）「本発明は自動印刷装置、特に画像再生処理を繰返し施し得る像パターンが形成された像形成部材（以下マスターと略称する）作成から印刷までの印刷処理プロセスを連続して自動的に実行し得る自動印刷システムに関する。」（第１頁右下欄２〜６行）。
　イ）「前面制御パネル１１にあるメインスイッチをオンにすると、先ず印刷ドラム３７の周辺に設けてあるマスター有無検知手段５７が働いて、印刷ドラム３７上にマスターが巻回装着されているか否かを検出する。若し、印刷ドラム３７上にマスターが無いという情報がマスター有無検知手段ＰＨ５で検出されると、該検出信号に応じて、マスター作成処理実行開始の指令信号が出されて、マスター作成処理が開始される。若し、マスター有無検知手段ＰＨ５が印刷ドラム３７上に既にマスターが巻回装着されているということを検知すると、該検知信号は前面制御パネル１１に設けてある表示手段で表示される。オペレーターは、前面制御パネル１１に表示された表示信号により既に印刷ドラム３７上にあるマスターの使用・不使用を決定する。若し、不使用であるならば、マスター排出の指令信号を前面制御パネル１１に設けてある操作スイッチによって出すことにより、印刷ドラム３７からのマスター離脱のシーケンス制御が働いて、印刷ドラム３７から、マスターが離脱され、所定の排出マスター収容部４５に収容される。マスター離脱終了の信号がマスタープロセッシング制御ユニット１６に入力されると、該信号に応答して、マスター作成処理開始の信号がマスター作成処理部に送られ、マスター作成処理が開始される。若し、既に印刷ドラム３７上に巻回装着されているマスターの再使用を要する時には、・・・所定の動作が開始される。印刷ドラム３７上に、マスターが所定通り巻回装着された後、静電印刷処理実行の指令信号が出力されると、所定のプログラムに応じて静電印刷処理が実行される。」（第６頁左下欄１６行〜第７頁左上欄１６行）。
　
　［刊行物４］
　ア）「少なくとも現像器を含む画像形成ユニットを装置本体に着脱可能に設けた画像形成装置において、前記画像形成ユニットの装置本体に対する非装着期間を判別する判別手段を有し、該判別手段の判別結果に応じて画像形成動作を制御することを特徴とする画像形成装置。」（実用新案登録請求の範囲）。
　イ）「所定時間放置されていたユニットを判別して攪拌時間を切換え、効率良く画像形成動作を行なうことを可能とした画像形成装置を提供することを目的とする。」（第３頁９〜１２行）。
　
　［刊行物５］
　ア）「円筒状版胴と前記円筒状版胴へ向けて選択的に押付けられるプレスローラとを有し、前記円筒状版胴が機内の印刷位置と機外の引出し位置との間に機枠に対し軸線方向に移動可能に設けられている回転式孔版印刷装置の安全装置に於て、非通電時には前記円筒状版胴を前記印刷位置にロックし通電時には前記円筒状版胴の前記印刷位置に於けるロックを解除する電気式ロック装置と、前記プレスローラが前記円筒状版胴より引き離された位置にある時に前記電気式ロック装置への通電が行われることを許す制御装置とを有している回転式孔版印刷装置の安全装置。」（特許請求の範囲）。
　イ）「円筒状版胴２はホルダーポスト６３により支持された版胴支持版６６と共に第５図に示されている如き機内の印刷位置と機外に引出された引出し位置との間に機枠１に対し軸線方向に移動可能に機枠１に対し支持される。」（第４頁右下欄１２〜１７行）。
　
　［刊行物６］
　ア）「制御装置１４０は設定モード判別手段とＣＰＵの如き制御処理手段とＲＯＭの如き記憶手段とを備えたマイクロコンピュータを含む電気式のものであり、第３図に示されている如きフローチャートに従って作動し、設定モード判別手段により製版モードと印刷モードと機密保持モードのうちのどのモードが選択されているかを判別し、製版スタートボタン１０が操作されて製版モードが設定された時には予め記憶手段に格納されている製版プログラムをアクセスし、印刷スタートボタン１１が操作されて印刷モードが設定された時には予め記憶手段に格納されている印刷プログラムをアクセスし、また機密保持モード設定ボタン１６が操作されて機密保持モードが設定された時には予め記憶手段に格納されている機密保持プログラムにアクセスし、これらのプログラムによる指示に従って上述した複数個の電動機及びソレノイドの作動を制御するようになっている。」（第１２欄１２〜２９行）。
　
　３．対比・判断
　１）本件発明１について
　刊行物１の上記記載ア〜エからみて、ドラム部９の外周部に設けられたセンサ部１０はドラム部９上の光吸収部２２との関係でマスター７がドラム部９に装着されているか否かを検知するものであるから、ドラム部９が所定の回転位置に位置することによりドラム部９にマスター７が装着されているか否かを検知するものであるといえる。
　そうすると、刊行物１の上記記載ア〜キを含む明細書及び図面によると、刊行物１には、下記の発明が記載されている。
　「ドラム部９が所定の回転位置に位置することによりドラム部９にマスター７が装着されているか否かを検出するセンサ部１０と、印刷プロセスと製版プロセスとを選択実行する操作部５からの各プロセス信号と前記センサ部１０により検出されたマスター有無検出信号に基づいて、所要の印刷処理または製版処理を行う制御部２と、を有することを特徴とする印刷機。」（以下、「刊行物１発明Ａ」という。）
　
　そこで、本件発明１と刊行物１発明Ａとを対比する。
　刊行物１発明Ａの印刷機が孔版印刷装置であると言える事は明らかである。
　刊行物１発明Ａの「ドラム部９」、「マスター７」、「センサ部１０」は、それぞれ本件発明１の「版胴」、「孔版原紙」、「原紙有無検出手段」に相当する。
　刊行物１発明Ａの「印刷プロセスと製版プロセスとを選択実行する操作部５からの各プロセス信号と前記センサ部１０により検出されたマスター有無検出信号に基づいて、所要の印刷処理または製版処理を行う制御部２」と、本件発明１の「印刷処理または製版処理に際する原紙有無確認時に前記記憶手段に記憶された原紙有無に関する検出結果の最新情報を読み取り、この読み取り情報に基づいて所要の印刷処理または製版処理を行う制御手段」とは、「印刷処理または製版処理に際し、原紙有無に関する検出結果に基づいて所要の印刷処理または製版処理を行う制御手段」である点で共通する。
　してみると、本件発明１と刊行物１発明Ａとは、
　「版胴が所定の回転位置に位置することにより版胴に孔版原紙が装着されているか否かを検出する原紙有無検出手段と、印刷処理または製版処理に際し、原紙有無に関する検出結果に基づいて所要の印刷処理または製版処理を行う制御手段と、を有することを特徴とする孔版印刷装置。」である点で一致し、次の点で相違する。
　相違点１：印刷処理または製版処理に際し利用される原紙有無に関する検出結果について、本件発明１では、原紙有無検出手段により検出された原紙有無に関する検出結果の最新情報を記憶する記憶手段を有し、前記記憶手段に記憶された原紙有無に関する検出結果の最新情報を読み取り、この読み取り情報に基づいて所要の印刷処理または製版処理を行うのに対して、刊行物１発明Ａでは、原紙有無検出手段により検出された原紙有無に関する検出結果の最新情報を記憶する記憶手段を有しているか否か明確でなく、それ故どのように原紙有無に関する検出結果を利用しているのか明確でない点。
　
　上記相違点１について検討する。
　刊行物２の上記記載ア〜ウを含む明細書及び図面からみて、刊行物２記載の印刷機は、手で供給したアルミニュウム版が版胴に巻かれているのを「自動給版あり」と判定してはいけないのであるから、版胴上の版の有無は版胴を回転させて直接検出しないで、自動給版機構、自動排版機構の作動だけで版胴上の版の有無を判断しているものであると解される。
　つまり、刊行物２の給版記憶部の記憶内容は、「自動給版機構、自動排版機構の給版状態」であって、「版胴上の版の有無状態」ではない。
　したがって、刊行物２のこの技術思想を、版胴上の版の有無状態を判別する必要がある刊行物１発明Ａに適用することには阻害要因があると言わざるを得ない。
　また、刊行物３ないし刊行物６の何れにも、相違点１の本件発明１に係る構成について記載されておらず、またこれを示唆する記載もない。
　本件発明１は、相違点１の本件発明１に係る構成により、「原紙有無センサなどによる原紙有無検出手段により検出される原紙有無に関する検出結果の最新情報がフラグなどにより記憶手段に記憶され、印刷処理または製版処理に際する原紙有無確認時にはその記憶手段に記憶された原紙有無に関する検出結果の最新情報に基づいて所要の処理が行われ、原紙有無確認の都度、版胴を原紙有無検出位置に回転させる必要がないから、原紙有無検出に起因するタイムロスが少なくなり、ファーストプリントまでの時間を短縮することができる。」（特許掲載公報段落【００５２】参照）という、各刊行物に記載のものからは期待できない格別の効果を奏するものである。
　したがって、本件発明１は、上記刊行物１ないし刊行物６に記載のものから容易に発明をすることができたものとはいえない。
　
　２）本件発明２について
　本件発明２と刊行物１発明Ａとを対比する。
　上記１）と同様にして、本件発明２と刊行物１発明Ａとは、
　「版胴が所定の回転位置に位置することにより版胴に孔版原紙が装着されているか否かを検出する原紙有無検出手段と、印刷処理または製版処理に際し、原紙有無に関する検出結果に基づいて所要の印刷処理または製版処理を行う制御手段と、を有することを特徴とする孔版印刷装置。」である点で一致し、次の点で相違する。
　相違点２：印刷処理または製版処理に際し利用される原紙有無に関する検出結果について、本件発明２では、原紙有無検出手段により検出された原紙有無に関する検出結果の最新情報を記憶する記憶手段を有し、電源オン直後を除き前記原紙有無情報記憶手段に記憶された原紙有無情報を読み込み、この原紙有無情報に基づいて所要の処理を行い、電源オン直後である場合には版胴を回転させて前記原紙有無検出手段により版胴に孔版原紙が装着されているか否かを検出し、この検出結果に基づいて所要の印刷処理または製版処理を行うのに対して、刊行物１発明Ａでは、原紙有無検出手段により検出された原紙有無に関する検出結果の最新情報を記憶する記憶手段を有しているか否か明確でなく、それ故、電源オンとの関係で、どのように原紙有無に関する検出結果を利用しているのか明確でない点。
　
　上記相違点２について検討する。
　電源オン直後である場合には、装置の立ち上げ時における各種状態等を勘案すれば、最初に、版胴を回転させて原紙有無検出手段により版胴に孔版原紙が装着されているか否かの検出を行うことは、当然に行うべきであること、あるいは行われることであると解するのが自然である。
　しかしながら、電源オン直後を除いては、本件発明１についての説示と同様にして、刊行物２ないし刊行物６の何れにも、相違点２の本件発明２に係る構成のうち、電源オン直後を除いての制御手段の作用について記載されておらず、またこれを示唆する記載もない。
　本件発明２は、相違点２の本件発明２に係る構成により、「原紙有無センサなどによる原紙有無検出手段により検出される原紙有無に関する検出結果の最新情報がフラグなどにより記憶手段に記憶され、印刷処理または製版処理に際する原紙有無確認時にはその記憶手段に記憶された原紙有無に関する検出結果の最新情報に基づいて所要の処理が行われ、原紙有無確認の都度、版胴を原紙有無検出位置に回転させる必要がないから、原紙有無検出に起因するタイムロスが少なくなり、ファーストプリントまでの時間を短縮することができる。」（特許掲載公報段落【００５２】参照）という、各刊行物に記載のものからは期待できない格別の効果を奏するものである。
　したがって、本件発明２は、上記刊行物１ないし刊行物６に記載のものから容易に発明をすることができたものとはいえない。
　
　３）本件発明３について
　本件発明３と刊行物１ないし刊行物６に記載された発明とを対比すると、いずれの刊行物にも、本件発明３の構成要件である、「印刷処理または製版処理に際する原紙有無確認時に、前記版胴取出し情報記憶手段に記憶された版胴取出し情報を読み取り、この版胴取出し情報が版胴取出しが行われていないことを示すものである場合には前記原紙有無情報記憶手段に記憶された原紙有無情報を読み込み、この原紙有無情報に基づいて所要の処理を行い、版胴取出し情報が版胴取出しが行われたことを示すものである場合には版胴を回転させて前記原紙有無検出手段により版胴に孔版原紙が装着されているか否かを検出し、この検出結果に基づいて所要の印刷処理または製版処理を行う制御手段」が記載されておらず、またこれを示唆する記載もない。
　本件発明３は、この点により、「原紙有無センサなどによる原紙有無検出手段により検出される原紙有無に関する検出結果の最新情報がフラグなどにより記憶手段に記憶され、印刷処理または製版処理に際する原紙有無確認時にはその記憶手段に記憶された原紙有無に関する検出結果の最新情報に基づいて所要の処理が行われ、原紙有無確認の都度、版胴を原紙有無検出位置に回転させる必要がないから、原紙有無検出に起因するタイムロスが少なくなり、ファーストプリントまでの時間を短縮することができる。」（特許掲載公報段落【００５２】参照）、「版胴が機外に取出し可能な構造のものおいては、版胴が機外に一旦取り出された場合には、記憶手段に記憶された原紙有無情報を参照せず、・・・原紙有無検出手段により版胴に孔版原紙が装着されているか否かを改めて検出するから、装置休止中や版胴取出し時に孔版原紙が手によって版胴より取り除かれても、支障を来すことがない。」（特許掲載公報段落【００５３】参照）という、各刊行物に記載のものからは期待できない格別の効果を奏するものである。
　したがって、本件発明３は、上記刊行物１ないし刊行物６に記載のものから容易に発明をすることができたものとはいえない。
　
　４）本件発明４について
　本件発明４は本件発明１、本件発明２または本件発明３において、「上記制御手段に製版処理を開始させる製版スタートキーと、印刷処理を開始させる印刷スタートキーとを更に有し、上記制御手段には、孔版原紙が装着されていて上記製版スタートキーがオンされたとき、製版処理開始前に排版処理を開始させる手段と、孔版原紙が装着されていないで上記製版スタートキーがオンされたとき、製版処理を開始させる手段と、孔版原紙が装着されていて上記印刷スタートキーがオンされたとき、印刷処理を開始させる手段と、孔版原紙が装着されていないで上記印刷スタートキーがオンされたとき、印刷処理をさせない手段とを有する」ことに限定するものである。
　刊行物１の上記記載イからみて、刊行物１には、「操作部５には制御部２に製版処理を開始させる製版スタートキー２４と、印刷処理を開始させる印刷スタートキー２３を有する」点が記載されている。
　刊行物１の上記記載エ、オからみて、刊行物１には、「マスター７（孔版原紙）が装着されていて製版スタートキー２４がオンされたとき、製版処理開始前に排版処理を開始させる手段（ステップ７−３）と、マスター７（孔版原紙）が装着されていないで製版スタートキー２４がオンされたとき、製版処理を開始させる手段（ステップ７−５）」が記載されている。
　刊行物１の上記記載キからみて、刊行物１には、「マスター７（孔版原紙）が装着されていて印刷スタートキー２３がオンされたとき、印刷処理を開始させる手段（ステップ８−２）と、マスター７（孔版原紙）が装着されていないで印刷スタートキー２３がオンされたとき、印刷処理をさせない手段（ステップ８−４）」が記載されている。
　しかしながら、本件発明１ないし本件発明３は上記の如く、上記刊行物１ないし刊行物６に記載のものから容易に発明をすることができたものとはいえないのであるから、本件発明４も、上記刊行物１ないし刊行物６に記載のものから容易に発明をすることができたものとはいえない。
　
　４．むすび
　以上のとおりであるから、特許異議の申立の理由によっては本件請求項１ないし本件請求項４に係る発明の特許を取り消すことはできない。
　また、他に本件請求項１ないし本件請求項４に係る発明の特許を取り消すべき理由を発見しない。
　したがって、本件請求項１ないし本件請求項４に係る発明についての特許は拒絶の査定をしなければならない特許出願に対してされたものと認めない。
　
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１６年６月２８日（２００４．６．２８）